(57)【特許請求の範囲】
【請求項１】
多数個のキャリアが集積された移動通信システムで端末の前記キャリアのＰＨを報告する方法において、
拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを含ませる過程と、
前記ＰＨが前記アップリンクデータチャネルで前記実際の伝送を基礎とすれば、前記拡張されたＰＨＲ内に前記ＰＨを算出するのに用いられた最大伝送電力を含ませる過程と、を含むことを特徴とする方法。
【請求項２】
前記ＰＨが前記アップリンクデータチャネルで前記実際の伝送を基礎としなければ、前記拡張されたＰＨＲ内に前記最大伝送電力を省略する過程をさらに含むことを特徴とする請求項１に記載の方法。
【請求項３】
前記指示子が０なら、前記指示子は、前記拡張されたＰＨＲ内に前記最大伝送電力の存在を指示し、
前記指示子が１なら、前記指示子は、前記拡張されたＰＨＲ内に前記最大伝送電力が省略されたことを指示することを特徴とする請求項１に記載の方法。
【請求項４】
前記最大伝送電力を含む段階は、
前記拡張されたＰＨＲ内に前記ＰＨの次に前記最大伝送電力を含むことを特徴とする請求項１に記載の方法。
【請求項５】
多数個のキャリアが集積された移動通信システムで端末の前記キャリアのＰＨを報告する装置において、
前記ＰＨを算出するための電力計算部と、
拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを含ませ、前記ＰＨが前記アップリンクデータチャネルで前記実際の伝送を基礎とすれば、前記拡張されたＰＨＲ内に前記ＰＨを算出するのに用いられた最大伝送電力を含ませるための制御部と、を含むことを特徴とする装置。
【請求項６】
前記制御部は、前記ＰＨが前記アップリンクデータチャネルで前記実際の伝送を基礎としなければ、前記拡張されたＰＨＲ内に前記最大伝送電力を省略することを特徴とする請求項５に記載の装置。
【請求項７】
前記指示子が０なら、前記指示子は、前記拡張されたＰＨＲ内に前記最大伝送電力の存在を指示し、
前記指示子が１なら、前記指示子は、前記拡張されたＰＨＲ内に前記最大伝送電力が省略されたことを指示することを特徴とする請求項５に記載の装置。
【請求項８】
前記制御部は、
前記拡張されたＰＨＲ内に前記ＰＨの次に前記最大伝送電力を含ませることを特徴とする請求項５に記載の装置。
【請求項９】
多数個のキャリアが集積された移動通信システムで基地局の前記キャリアのＰＨを受信する方法において、
拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを確認する過程と、
前記ＰＨが前記アップリンクデータチャネルで前記実際の伝送を基礎とすれば、前記拡張されたＰＨＲ内に前記ＰＨを算出するのに用いられた最大伝送電力を確認する過程と、を含むことを特徴とする方法。
【請求項１０】
前記ＰＨが前記アップリンクデータチャネルで前記実際の伝送を基礎としなければ、前記最大伝送電力が省略されることを特徴とする請求項９に記載の方法。
【請求項１１】
前記指示子が０なら、前記指示子は、前記拡張されたＰＨＲ内に前記最大伝送電力の存在を指示し、
前記指示子が１なら、前記指示子は、前記拡張されたＰＨＲ内に前記最大伝送電力が省略されたことを指示することを特徴とする請求項９に記載の方法。
【請求項１２】
多数個のキャリアが集積された移動通信システムで基地局の前記キャリアのＰＨを受信する装置において、
拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを確認し、前記ＰＨが前記アップリンクデータチャネルで前記実際の伝送を基礎とすれば、前記拡張されたＰＨＲ内に前記ＰＨを算出するのに用いられた最大伝送電力を確認するための制御部と、
前記ＰＨと前記最大伝送電力によって前記アップリンクデータチャネルのスケジューリングを行うためのスケジューラと、を含むことを特徴とする装置。
【請求項１３】
前記ＰＨが前記アップリンクデータチャネルで前記実際の伝送を基礎としなければ、前記拡張されたＰＨＲ内に前記最大伝送電力が省略されることを特徴とする請求項１２に記載の装置。
【請求項１４】
前記指示子が０なら、前記指示子は、前記拡張されたＰＨＲ内に前記最大伝送電力の存在を指示し、
前記指示子が１なら、前記指示子は、前記拡張されたＰＨＲ内に前記最大伝送電力が省略されたことを指示することを特徴とする請求項１２に記載の装置。
【発明の詳細な説明】
【技術分野】
【０００１】
本発明は、移動通信システムで通信方法及び装置に関し、本発明は、移動通信システムでスケジューリング決定に使用される端末の最大伝送電力及び可用伝送電力を報告し、それを利用してスケジューリングを行う方法及び装置に関する。
【背景技術】
【０００２】
一般的に、移動通信システムは、無線通信システムを利用してユーザの移動性を確保しながら通信を提供するための目的で開発された。このような移動通信システムは、技術の飛躍的な発展に伴い、音声通信はもちろん、高速のデータ通信サービスを提供することができる段階に至った。
【０００３】
近年、次世代移動通信システムのうち１つとして、３ＧＰＰでＬＴＥ（Ｌｏｎｇ  Ｔｅｒｍ  Ｅｖｏｌｕｔｉｏｎ）に対する規格作業が進行中にある。ＬＴＥは、現在提供されているデータ伝送率よりも高い最大１００Ｍｂｐｓ程度の伝送速度を有する高速パケット基盤通信を具現する技術である。このために、さまざまな方案が論議されているが、例えば、ネットワークの構造を簡単にして通信路上に位置するノードの数を減らす方案や、無線プロトコルを最大限無線チャネルに近接させる方案などが論議中にある。
【０００４】
一方、データサービスは、音声サービスとは異なって、伝送しようとするデータの量とチャネル状況によって割り当てることができる資源などが決定される。したがって、移動通信システムのような無線通信システムでは、スケジューラで伝送しようとする資源の量とチャネルの状況及びデータの量などを考慮して伝送資源を割り当てるなどの管理が行われる。これは、次世代移動通信システムの１つであるＬＴＥシステムでも同一に行われ、基地局に位置するスケジューラが無線伝送資源を管理し、割り当てる。
【０００５】
一般的にＬＴＥシステムで逆方向スケジューリングのために、端末は、基地局にスケジューリング情報（Ｓｃｈｅｄｕｌｉｎｇ  Ｉｎｆｏｒｍａｔｉｏｎ）を伝達する。前記スケジューリング情報として、バッファ状態報告（Ｂｕｆｆｅｒ  Ｓｔａｔｕｓ  Ｒｅｐｏｒｔ：ＢＳＲ）と可用伝送電力報告（Ｐｏｗｅｒ  Ｈｅａｄｒｏｏｍ  Ｒｅｐｏｒｔ：ＰＨＲ）がある。これらのうちＰＨＲは、基地局が端末に逆方向伝送のために資源を割り当てるとき、端末が使用する最大伝送電力が、端末が伝送に使用することができる最大電力限度を超えないようにするために使用される。この際、ＰＨＲに対する情報が正確でなければ、基地局が資源を正しくスケジューリングしないか、他の伝送に干渉を与える可能性があるので、端末機が報告したＰＨＲを基地局が正確に解釈できるようにしなければならない。
【発明の概要】
【発明が解決しようとする課題】
【０００６】
本発明は、移動通信システムでスケジューリング情報を効果的に処理する方法及び装置並びにそのシステムを提供する。
【０００７】
また、本発明は、移動通信システムで端末と基地局との間のスケジューリング情報を効率的に処理する方法及び装置並びにそのシステムを提供する。
【０００８】
また、本発明は、移動通信システムで端末の可用伝送電力及び可用伝送電力の計算に使用される最大伝送電力を効率的に報告する方法及び装置並びにそのシステムを提供する。
【課題を解決するための手段】
【０００９】
前記目的を達成するために、本発明による多数個のキャリアが集積された移動通信システムで端末の前記キャリアのＰＨを報告する方法は、拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを含ませる過程と、前記ＰＨが前記アップリンクデータチャネルで前記実際の伝送を基礎とすれば、前記拡張されたＰＨＲ内に前記ＰＨを算出するのに用いられた最大伝送電力を含ませる過程とを含むことを特徴とする。
【００１０】
そして、前記目的を達成するために、本発明による多数個のキャリアが集積された移動通信システムで端末の前記キャリアのＰＨを報告する装置は、前記ＰＨを算出するための電力計算部と、拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを含ませ、前記ＰＨが前記アップリンクデータチャネルで前記実際の伝送を基礎とすれば、前記拡張されたＰＨＲ内に前記ＰＨを算出するのに用いられた最大伝送電力を含ませるための制御部とを含むことを特徴とする。
【００１１】
また、前記目的を達成するために、本発明による多数個のキャリアが集積された移動通信システムで基地局の前記キャリアのＰＨを受信する方法は、拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを確認する過程と、前記ＰＨが前記アップリンクデータチャネルで前記実際の伝送を基礎とすれば、前記拡張されたＰＨＲ内に前記ＰＨを算出するのに用いられた最大伝送電力を確認する過程とを含むことを特徴とする。
【００１２】
さらに、前記目的を達成するために、本発明による多数個のキャリアが集積された移動通信システムで基地局の前記キャリアのＰＨを受信する装置は、拡張された伝送電力報告（ＰＨＲ：Ｐｏｗｅｒ  Ｈｅａｄｒｏｏｍ  Ｒｅｐｏｒｔ）内に前記ＰＨがアップリンクデータチャネルで実際の伝送を基礎とするか否かを示す指示子と一緒に前記ＰＨを確認し、前記ＰＨが前記アップリンクデータチャネルで前記実際の伝送を基礎とすれば、前記拡張されたＰＨＲ内に前記ＰＨを算出するのに用いられた最大伝送電力を確認するための制御部と、前記ＰＨと前記最大伝送電力によって前記アップリンクデータチャネルのスケジューリングを行うためのスケジューラとを含むことを特徴とする。
【発明の効果】
【００１３】
本発明を適用すれば、移動通信システムで端末が可用伝送電力をさらに少ない伝送オーバーヘッドで基地局に報告することができ、基地局がスケジューリングを効率的に行うことができると共に、他の伝送への干渉をも抑制することができる。
【図面の簡単な説明】
【００１４】
【図１】本発明の一実施例によるＬＴＥ移動通信システムの構造を示す図である。
【図２】本発明の一実施例によるＬＴＥ移動通信システムのプロトコル構造を示す図である。
【図３】本発明の一実施例によるＬＴＥ移動通信システムでキャリア集積を説明するための図である。
【図４】本発明の第１実施例によるＰＨＲ  ＭＡＣ  ＣＥの構造を示す図である。
【図５】本発明の第１実施例によるＰＨとＰＣＭＡＸを報告する例を示す図である。
【図６】本発明の第１実施例によるＰＨとＰＣＭＡＸを報告する端末の動作を示す図である。
【図７】本発明の第１実施例によるＰＨとＰＣＭＡＸを受信する基地局の動作を示す図である。
【図８】本発明の第１実施例による端末の構成を示す図である。
【図９】本発明の第１実施例による基地局の構成を示す図である。
【図１０】本発明の第２実施例によるＰＨＲ  ＭＡＣ  ＣＥの構造を示す図である。
【図１１】本発明の第２実施例による端末と基地局の動作を示す図である。
【図１２】本発明の第２実施例による端末の動作を示す図である。
【発明を実施するための形態】
【００１５】
以下、添付の図面を参照して本発明の実施例をさらに詳細に説明する。この際、添付の図面において、同一の構成要素は、できるだけ同一の符号で示していることに留意しなければならない。そして、本発明の要旨を不明にすることができる公知機能及び構成に対する詳細な説明を省略する。
【００１６】
本発明は、多重キャリアが集積された端末で多重逆方向キャリアを用いた逆方向伝送を効率的に行うために、端末が可用伝送電力を報告する方法及び装置に関する。本発明は、特に可用伝送電力と最大伝送電力を最小限のオーバーヘッドで一緒に報告する方法及び装置を提示する。
【００１７】
図１は、本発明が適用されるＬＴＥ移動通信システムの構造を示す図である。
【００１８】
図１を参照すれば、ＬＴＥ移動通信システムの無線アクセスネットワークは、次世代基地局（Ｅｖｏｌｖｅｄ  Ｎｏｄｅ  Ｂ、以下、ＥＮＢ、Ｎｏｄｅ  Ｂまたは基地局）１０５、１１０、１１５、１２０とＭＭＥ（Ｍｏｂｉｌｉｔｙ  Ｍａｎａｇｅｍｅｎｔ  Ｅｎｔｉｔｙ）１２５及びＳ−ＧＷ（Ｓｅｒｖｉｎｇ−Ｇａｔｅｗａｙ）１３０で構成される。ユーザ端末（Ｕｓｅｒ  Ｅｑｕｉｐｍｅｎｔ、以下、ＵＥまたは端末）１３５は、ＥＮＢ  １０５、１１０、１１５、１２０及びＳ−ＧＷ  １３０を介して外部ネットワークに接続する。
【００１９】
ＥＮＢ  １０５、１１０、１１５、１２０は、ＵＭＴＳシステムの既存ノードＢに対応する。ＥＮＢ  １０５、１１０、１１５、１２０は、ＵＥ  １３５と無線チャネルで連結され、既存ノードＢより複雑な役目を行う。ＬＴＥ移動通信システムは、ＶｏＩＰ（Ｖｏｉｃｅ  ｏｖｅｒ  ＩＰ）のようなリアルタイムサービスを含めたすべてのユーザトラフィックを共用チャネル（ｓｈａｒｅｄ  ｃｈａｎｎｅｌ）を介してサービスする。これにより、ＬＴＥ移動通信システムでＵＥ  １３５のバッファ状態、可用伝送電力状態、チャネル状態などの状態情報を取り集めて、スケジューリングをする装置が必要であり、これをＥＮＢ  １０５、１１０、１１５、１２０が担当する。１つのＥＮＢ  １０５、１１０、１１５、１２０は、通常多数のセルを制御する。
【００２０】
例えば、１００Ｍｂｐｓの伝送速度を具現するために、ＬＴＥ移動通信システムは、例えば、２０ＭＨｚに該当する帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）を無線接続技術として使用する。また、ＬＴＥ移動通信システムは、端末１３５のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決定する適応変調コーディング（Ａｄａｐｔｉｖｅ  Ｍｏｄｕｌａｔｉｏｎ  ＆  Ｃｏｄｉｎｇ、以下、ＡＭＣという）方式を適用する。Ｓ−ＧＷ  １３０は、データベアラーを提供する装置であり、ＭＭＥ  １２５の制御によってデータベアラーを生成するか、または除去する。ＭＭＥ  １２５は、端末１３５に対する移動性管理機能はもちろん、各種制御機能を担当する装置であり、多数の基地局１０５、１１０、１１５、１２０と連結される。
【００２１】
図２は、本発明が適用されるＬＴＥ移動通信システムで無線プロトコル構造を示す図である。
【００２２】
図２を参照すれば、ＬＴＥ移動通信システムの無線プロトコルは、端末とＥＮＢでそれぞれＰＤＣＰ（Ｐａｃｋｅｔ  Ｄａｔａ  Ｃｏｎｖｅｒｇｅｎｃｅ  Ｐｒｏｔｏｃｏｌ）階層２０５、２４０、ＲＬＣ（Ｒａｄｉｏ  Ｌｉｎｋ  Ｃｏｎｔｒｏｌ）階層２１０、２３５、ＭＡＣ（Ｍｅｄｉｕｍ  Ａｃｃｅｓｓ  Ｃｏｎｔｒｏｌ）階層２１５、２３０よりなる。ＰＤＣＰ階層２０５、２４０は、ＩＰヘッダー圧縮／復元などの動作を担当する。ＲＬＣ階層２１０、２３５は、ＰＤＣＰ  ＰＤＵ（Ｐａｃｋｅｔ  Ｄａｔａ  Ｕｎｉｔ）を適切なサイズに再構成し、ＡＲＱ動作などを行う。ＭＡＣ階層２１５、２３０は、様々なＲＬＣ階層装置と連結され、ＲＬＣ  ＰＤＵをＭＡＣ  ＰＤＵに多重化し、ＭＡＣ  ＰＤＵからＲＬＣ  ＰＤＵを逆多重化する動作を行う。物理階層２２０、２２５は、上位階層データをチャネルコーディング及び変調し、ＯＦＤＭシンボルに作って無線チャネルで伝送するか、無線チャネルを介して受信したＯＦＤＭシンボルを復調し、チャネルデコーディングし、上位階層に伝達する動作をする。
【００２３】
図３は、本発明が適用されるＬＴＥ移動通信システムでキャリア集積を説明するための図である。
【００２４】
図３を参照すれば、１つの基地局３０５では、一般的に様々な周波数帯域にわたって多重キャリアが送出され、受信される。例えば、基地局３０５で中心周波数がｆ１であるキャリア３１５と中心周波数がｆ３であるキャリア３１０が送出されるとき、一般的に１つの端末３３０が前記２つのキャリア３１０、３１５のうちいずれか１つを利用してデータを送受信する。しかし、キャリア集積能力を有している端末３３０は、同時に複数のキャリア３１０、３１５からデータを送受信することができる。これにより、基地局３０５は、キャリア集積能力を有している端末３３０に対しては、状況によってさらに多いキャリアを割り当てることによって、前記端末３３０の伝送速度を高めることができる。
【００２５】
この際、伝統的な意味として１つの基地局３０５で送出され受信される１つの順方向キャリアと１つの逆方向キャリアが１つのセルを構成するとするとき、キャリア集積というのは、端末３３０が同時に複数のセルを介してデータを送受信するものと理解されることもできる。これにより、最大伝送速度は、集積されるキャリアの数に比例して増加する。
【００２６】
以下、本発明を説明するに際して、端末が任意の順方向キャリアを介してデータを受信するか、または任意の逆方向キャリアを介してデータを伝送するということは、前記順方向キャリアと逆方向キャリアの中心周波数と周波数帯域に対応するセルで提供する制御チャネルとデータチャネルを利用してデータを送受信するというものと同一の意味を有する。また、以下、本発明の実施例は、説明の便宜のためにＬＴＥ移動通信システムを仮定して説明されるが、本発明は、キャリア集積を支援する各種無線通信システムに適用されることができる。
【００２７】
一方、端末に複数のキャリアが集積されるとき、端末が複数のサービングセルを有すると表現したりする。１つのセル（あるいはサービングセル）は、順方向資源と逆方向資源で構成されることができ、逆方向資源は、設定によって存在してもよく、存在しなくてもよい。サービングセルは、ＰＣｅｌｌ（Ｐｒｉｍａｒｙ  Ｃｅｌｌ）とＳＣｅｌｌ（Ｓｅｃｏｎｄａｒｙ  Ｃｅｌｌ）に区分される。ＰＣｅｌｌは、常に活性化状態を維持するセルであり、ＳＣｅｌｌは、基地局の制御によって活性化状態あるいは不活性化状態で動作する。任意のＳＣｅｌｌが不活性化状態というのは、前記セルを介してはデータをやりとりしないということを意味し、端末は、不活性化状態のサービングセルに対しては、関連装置をオフさせることによって、電力消耗を最小化することができる。以下、本発明を説明するに際して、セルとサービングセルを混用する。
【００２８】
ＬＴＥ移動通信システムで逆方向伝送は、他の帯域で行われる伝送に干渉をもたらすので、逆方向伝送電力は、適切な水準に維持されなければならない。すなわちＳｐｕｒｉｏｕｓ  Ｅｍｉｓｓｉｏｎ  Ｒｅｑｕｉｒｅｍｅｎｔを満たすために無線周波数で意図しない伝送であるｓｐｕｒｉｏｕｓ  ｅｍｉｓｓｉｏｎを低減しなければならない。このために、端末は、逆方向伝送を行うにあたって、所定の関数を利用して逆方向伝送電力を算出し、算出された逆方向伝送電力で逆方向伝送を行う。例えば、端末は、割り当てられた伝送資源の量と適用するＭＣＳ（Ｍｏｄｕｌａｔｉｏｎ  Ｃｏｄｉｎｇ  Ｓｃｈｅｍｅ）レベルなどのスケジューリング情報と経路損失値などのチャネル状況を推定することができる入力値を前記所定の関数に入力して要求逆方向伝送電力値を算出し、前記計算された要求逆方向伝送電力値を適用して逆方向伝送を行う。端末が適用することができる逆方向伝送電力値は、端末の最大伝送値によって制限され、計算された要求伝送電力値が端末の最大伝送値を超過すれば、端末は、最大伝送値を適用して逆方向伝送を行う。この場合、十分な逆方向伝送電力を適用しないので、逆方向伝送品質の劣化が発生することがある。
【００２９】
アップリンク伝送品質低下を避けるために、基地局は、要求伝送電力が最大伝送電力を超過しないようにスケジューリングを行うことが好ましい。しかし、経路損失などのいくつかのパラメータは、基地局が把握することができないので、端末は、必要時に可用伝送電力メッセージ（Ｐｏｗｅｒ  Ｈｅａｄｒｏｏｍ  Ｒｅｐｏｒｔ：ＰＨＲ）というものを伝送し、自分の可用伝送電力（Ｐｏｗｅｒ  Ｈｅａｄｒｏｏｍ：ＰＨ）状態を基地局に報告する。
【００３０】
可用伝送電力は、最大伝送電力（以下、ＰＣＭＡＸ）と要求逆方向伝送電力（以下、ＰＵＳＣＨ伝送電力）の差異値である。前記ＰＣＭＡＸは、固定された値ではなく、可変的な値であり、下記のように端末で決定される。
【００３１】
ＰＣＭＡＸは、最小値と最大値との間で端末が選択する値であって、下記数式１による。
【００３２】
［数式１］
ＰＣＭＡＸ＿Ｌ≦ＰＣＭＡＸ≦ＰＣＭＡＸ＿Ｈ
【００３３】
前記数式１で、ＰＣＭＡＸ＿ＬとＰＣＭＡＸ＿Ｈは、それぞれ下記数式２及び数式３によって計算される。
【００３４】
［数式２］
ＰＣＭＡＸ＿Ｌ＝ＭＩＮ｛ＰＥＭＡＸ−ΔＴＣ，ＰＰｏｗｅｒＣｌａｓｓ−ＭＰＲ−Ａ−ＭＲＰ−ΔＴＣ｝
【００３５】
［数式３］
ＰＣＭＡＸ＿Ｈ＝ＭＩＮ｛ＰＥＭＡＸ，ＰＰｏｗｅｒＣｌａｓｓ｝
【００３６】
ここで、ＰＥＭＡＸ、ΔＴＣ、ＰＰｏｗｅｒＣｌａｓｓ、ＭＰＲ、Ａ−ＭＰＲの意味は、規格３６．１０１に記述されており、簡単に説明すれば次の通りである。
【００３７】
ＰＥＭＡＸは、端末が位置するセルで許容された最大逆方向伝送電力であり、基地局で端末に通知する。ＰＰｏｗｅｒＣｌａｓｓは、端末の物理的特性から起因した最大伝送電力を意味する。端末は、生産段階でｐｏｗｅｒ  ｃｌａｓｓが決定され、端末は、前記ｐｏｗｅｒ  ｃｌａｓｓを所定のＲＲＣメッセージを使用して基地局に通知する。
【００３８】
ＭＰＲ、Ａ−ＭＰＲ、ΔＴＣは、端末がｓｐｕｒｉｏｕｓ  ｅｍｉｓｓｉｏｎ（意図しない放射、スプリアス放射ともいう）を所定の要求条件に合わせるために、端末が最大伝送電力を調整することができる限界値を定義するパラメータである。ＭＰＲは、端末が割り当てられた伝送資源の量（すなわち端末が割り当てられた帯域幅の量）と変調方式によって決定される値であって、伝送資源の量と変調方式によるＭＰＲの値は、３６．１０１のテーブル６．２．３−１に定義されている。Ａ−ＭＰＲは、逆方向伝送が行われる周波数帯域、地域的特性、逆方向伝送の帯域幅などによって定義された値であって、３６．１０１のテーブル６．２．４−１、６．２．４−２、６．２．４−３に定義されている。Ａ−ＭＰＲは、地域的特性と周波数帯域的特性によって、周辺にスプリアス放射に特別に敏感な周波数帯域がある場合に備えて使用される。ΔＴＣは、逆方向伝送が周波数帯域の端部で行われる場合、追加的な伝送電力調整を許容するためのものである。逆方向伝送が任意の周波数帯域の最低４ＭＨｚに該当する帯域や最高４ＭＨｚに該当する帯域で行われる場合、端末は、ΔＴＣを１．５ｄＢに設定し、残りの場合には、０に設定する。
【００３９】
すなわち前記数式１から分かるように、ＰＣＭＡＸは、最大値と最小値との間で端末が任意に設定することができる値であるから、ＰＨだけで基地局が適切なスケジューリング決定を下すことが容易ではない。例えば、端末は、ＰＣＭＡＸがＸである状況でＰＨを計算して報告したが、基地局は、ＰＣＭＡＸがＹであるものと誤って判断すれば、基地局が誤ったスケジューリング決定を下すことができる。これは、特に基地局が端末に多重キャリア伝送をスケジューリングするとき、問題を引き起こすことがある。単一キャリア伝送の場合、ＰＣＭＡＸを誤って仮定しても、報告されたＰＨを利用して、基地局は、前記端末にどれほどの伝送電力をさらに割り当てることができるかを判断することができるが、多重キャリア伝送なら、ＰＨは、‘知らないＰＣＭＡＸ’とＰＵＳＣＨ伝送電力の差異値であるだけで、基地局は、ＰＨからＰＵＳＣＨ伝送電力を逆算することができない。この際、各セルの個別的なＰＵＳＣＨ伝送電力を知らない状態で、基地局は、多重キャリア伝送時に発生する全体伝送電力を判断することができない。したがって、基地局は、少なくとも多重キャリア逆方向伝送をスケジューリングするために、端末のＰＨだけでなく、ＰＣＭＡＸをも知らなければならない。
【００４０】
本発明では、前記問題を解決するために、端末でＰＨを報告しながらＰＨ計算に使用したＰＣＭＡＸも一緒に報告する方法を提示する。ＰＣＭＡＸを報告する目的は、基地局がＰＨを正しく解釈するようにするものなので、ＰＣＭＡＸだけを報告することは別に意味がない。また、端末でＰＣＭＡＸだけを報告するには、ＰＣＭＡＸ報告のために、新しいＭＡＣ  ＣＥ（ＭＡＣ  Ｃｏｎｔｒｏｌ  Ｅｌｅｍｅｎｔ、ＭＡＣの制御情報を送受信するための制御情報）を定義しなければならないという短所がある。前記問題点を避けるために、本発明では、ＰＣＭＡＸをＰＨＲ  ＭＡＣ  ＣＥに収納して報告する。また、ＰＣＭＡＸ報告によって基地局で発生するオーバーヘッドを低減するために、端末は、一定条件が充足される場合にのみ、ＰＣＭＡＸを報告するようにする。
【００４１】
この際、前記一定条件は、例えばＰＨＲでＰＨを報告するセルに対してのみ、そして基地局がＰＣＭＡＸを類推することができない場合にのみ、ＰＣＭＡＸを報告することなどになることができる。例えば、ＰＣＭＡＸが様々なセルにわたって同一の場合が頻繁に発生することができ、この場合には、最も先に報告されるセルに対してのみＰＣＭＡＸを報告し、残りのセルのＰＣＭＡＸは、省略することができる。ＰＣＭＡＸが様々なセルに対して同一の場合は、例えばセルが同一の周波数バンドに属する場合を挙げることができる。この場合、セル間に同一の最大伝送電力減少（ＭＰＲ、Ａ−ＭＰＲ、ΔＴｃ）が適用されるので、前記セルのＰＣＭＡＸは、同一である。または、実際ＰＵＳＣＨ伝送がないセルに対しては、後述する理由でＰＣＭＡＸを同一に適用することができる。
【００４２】
ここで、ＰＨは、ＰＣＭＡＸとＰＵＳＣＨ伝送電力の差異値である。したがって、ＰＵＳＣＨ伝送がないセルに対しては、ＰＨの計算が不可能である。しかし、ＰＨＲを報告する現在時点にＰＵＳＣＨ伝送がないセルであるとしても、近い未来に基地局がＰＵＳＣＨ伝送をスケジューリングすることができるので、ＰＨ報告が必要であり、現在時点にＰＵＳＣＨ伝送がないセルに対しては、ＰＨを計算しなければならない。本発明では、ＰＵＳＣＨ伝送がないセルのＰＵＳＣＨ伝送電力計算時にあらかじめ定められた伝送フォーマットを利用してＰＨを算出する。現在時点にＰＵＳＣＨ伝送がないセルのＰＨ報告は、セルの経路損失変化や伝送電力制御命令の累積値の変化を追跡するための目的であるから、ＰＣＭＡＸ（すなわちどんなＰＣＭＡＸを使用してＰＨを算出するか）は、相対的に重要でない。本発明では、現在時点にＰＵＳＣＨ伝送がないセルのＰＣＭＡＸは、あらかじめ定められた値に固定し、前記セルに対しては、ＰＣＭＡＸを報告しないことによって、ＰＣＭＡＸ報告による基地局のオーバーヘッドを低減する。
【００４３】
本発明では、ＰＨで使用しない２つのビットのうち１ビット（以下、Ｐビットと命名）を利用してどんなセルのＰＣＭＡＸが報告され、どんなセルのＰＣＭＡＸが報告されないかを指示する。また、残りの１ビット（以下、Ｖビットと命名）を利用してＰＨが実際ＰＵＳＣＨ伝送を基盤に計算されたものであるかを指示する。
【００４４】
図４は、本発明の第１実施例による拡張されたＰＨＲ  ＭＡＣ  ＣＥのペイロードのフォーマットを示す図である。
【００４５】
図４を参照すれば、ＰＨＲには、多数のセルのＰＨ情報４１５及びＰＣＭＡＸ情報４２０が収納される。１セルに対するＰＨ情報４１５及びＰＣＭＡＸ情報４２０は、フォーマット１のように互いに隣接しない位置に収納されるか、またはフォーマット２のように互い隣接する位置に収納されることができる。任意のセルに対するＰＨ情報４１５のＰビット４０５は、ＰＨＲに当該セルのＰＣＭＡＸが存在するか否かを指示し、Ｖビット４１０は、ＰＨ情報４１５が実際ＰＵＳＣＨ伝送に対するものであるか否かを示す。Ｐビット４０５が０なら、当該セルのＰＣＭＡＸ情報４２０が存在することを指示し、ＰＣＭＡＸ情報４２０は、フォーマット１のようにＰＨ情報４１５が収納された後方部分にセルの手順によって適切な位置に収納されるか、またはフォーマット２のように当該セルのＰＨすぐ後方部分に収納されることができる。Ｐビット４０５が１なら、当該セルのＰＣＭＡＸ情報が存在しないことを指示し、前記セルのＰＣＭＡＸは、あらかじめ定められた値であるか（Ｖビット４１０が１である。すなわちＰＨ情報４１５は、実際ＰＵＳＣＨ伝送に対するものではなく、ＰＣＭＡＸとしてあらかじめ定められた値が使用されることを示す）、他のセルのＰＣＭＡＸと同一の値であることを意味する。
【００４６】
図５は、本発明の第１実施例によるＰＨとＰＣＭＡＸを報告する例を示す図である。この際、図５で、便宜上、フォーマット１によるＰＨＲを例示する。
【００４７】
図５を参照すれば、ＰＨＲにＰＣｅｌｌ、ＳＣｅｌｌ  １、ＳＣｅｌｌ  ２、ＳＣｅｌｌ  ３、ＳＣｅｌｌ  ４のＰＨ情報が報告される。便宜のために、図５のＰＨＲは、図４のフォーマット１に描写されている。この際、ＳＣｅｌｌ  ３には、実際ＰＵＳＣＨ伝送がなく、残りのセルには、ＰＵＳＣＨ伝送がある。そして、ＳＣｅｌｌ  １のＰＣＭＡＸは、ＰＣｅｌｌのＰＣＭＡＸと同一であり、ＳＣｅｌｌ  ２のＰＣＭＡＸは、ＳＣｅｌｌ  ４のＰＣＭＡＸと同一である。ここで、ＰＨ情報が配置される順序は、ＰＣｅｌｌのＰＨ情報が最も先に配置され、ＳＣｅｌｌのＰＨ情報は、それぞれのセルインデックスの手順によって配置される。すなわちＰＣｅｌｌ、ＳＣｅｌｌ  １、ＳＣｅｌｌ  ２、ＳＣｅｌｌ  ３、ＳＣｅｌｌ  ４の手順にそれぞれのＰＨ情報が配置される。この中でＰＣＭＡＸが報告されるセルは、同一のＰＣＭＡＸを有するセルのうち最も前方部分に配置されるセルあるいはセルインデックスが最も低いセルである。すなわちＰＣｅｌｌとＳＣｅｌｌ  １のうちＰＣｅｌｌ、ＳＣｅｌｌ  ２とＳＣｅｌｌ  ４のうちＳＣｅｌｌ  ２に対するＰＣＭＡＸが報告される。
【００４８】
すなわち端末は、前記ＰＣＭＡＸが報告されるセルのＰＨ情報のＰビットを０に設定し、残りのセルのＰＨ情報のＰビットは、１に設定する。ＰＣＭＡＸが報告されないセルのうち、実際ＰＵＳＣＨ伝送に基づいてＰＨが計算されたセル、すなわちＳＣｅｌｌ  １とＳＣｅｌｌ  ４のＰＣＭＡＸ  ５１５、５２５は、ＰＣＭＡＸが報告されたセルのうちＰＨの位置が当該セルのＰＨに先行しながら最も近いセルあるいはＰＣＭＡＸが報告されたセルのうちセルインデックスが低く、かつ最も近いセル、すなわちＰＣｅｌｌとＳＣｅｌｌのＰＣＭＡＸ  ５０５、５１０と同一である。すなわちＳＣｅｌｌ  １の場合、ＰＣＭＡＸが報告されたセルのうちＰＣｅｌｌが前記条件を満たすので（参照としてＰＣｅｌｌのセルインデックスは０である。）、ＳＣｅｌｌ  １のＰＣＭＡＸ  ５１５は、ＰＣｅｌｌのＰＣＭＡＸ  ５０５と同一である。同様に、ＳＣｅｌｌ  ４のＰＣＭＡＸ  ５２５は、ＳＣｅｌｌ  ２のＰ  ５１０と同一である。また、ＰＣＭＡＸが報告されないセルのうち、実際ＰＵＳＣＨ伝送でない仮想の伝送フォーマットに基づいてＰＨが計算されたセル（Ｖが１であるセル）、すなわちＳＣｅｌｌ  ３のＰＣＭＡＸ  ５２０は、あらかじめ定められた値である。前記あらかじめ定められた値は、例えばＰＣＭＡＸ＿Ｈであることができる。
【００４９】
この際、図４と図５で、ＰＣＭＡＸ情報のサイズを５ビットまたは６ビットに仮定したが、これに制限されるものではなく、さらに大きくてもよく、小さくてもよい。ＰＣＭＡＸ情報は、ＰＣＭＡＸの最大値、すなわちＰＣＭＡＸ＿ＨでＰｏｗｅｒ  ｒｅｄｕｃｔｉｏｎがどれぐらい加えられたかを示す方式で表現されることができる。例えば、ＰＣＭＡＸのインデックスが０なら、ＰＣＭＡＸはＰＣＭＡＸ＿Ｈであることを、ＰＣＭＡＸインデックスが１なら、ＰＣＭＡＸはＰＣＭＡＸ＿Ｈから１ｄＢが減少した値を示すことができる。この場合、５ビットでは、ＰＣＭＡＸがＰＣＭＡＸ＿Ｈから３１ｄＢ減少した値であるということまで表現が可能であり、ｐｏｗｅｒ  ｒｅｄｕｃｔｉｏｎが３１ｄＢ以上まで許容される可能性がほとんどないことを考慮すれば、５ビットは、適切な選択であることができる。ＰＣＭＡＸ情報で３ビットの使用しないビット５３０のうち１ビットは、「他の無線技術の同時伝送に起因してＰＣＭＡＸ値にさらに大きいｐｏｗｅｒ  ｒｅｄｕｃｔｉｏｎが加えられたこと」を示す用途に使用されることもできる。これは、ＬＴＥ以外に他の伝送技術、例えばｃｄｍａ  ２０００が同時に使用されるとき、ＬＴＥの伝送電力を追加に規制することによって行うことができ、このように追加的な伝送電力減少が起きたということを基地局スケジューラに通知し、基地局で適切なスケジューリングを行うことができるようにするためである。
【００５０】
図６は、本発明の第１実施例による端末動作を示す図である。図６を参照すれば、端末は、６０５段階で、ＲＥＬ−１０  ＰＨＲ機能を設定する。ＲＥＬ−１０  ＰＨＲ機能は、ＰＨＲのフォーマットや報告される情報の種類などでＲＥＬ−８ＰＨＲ機能と異なり、キャリア集積のようなＲＥＬ−１０技術を活性化するＲＲＣ制御メッセージを通じて設定されることができる。６０５段階後、端末は、所定の動作を行いながらＰＨＲ生成条件が満たされるまで待機する。この際、ＰＨＲ生成条件は、例えば新しい伝送のための逆方向伝送資源が可用であり、ＰＨＲ伝送を禁止する所定のタイマーが既に満了し（あるいは現在駆動中ではなく）、所定の条件を満たすセルのうち最小限１セルの経路損失が所定の基準値以上に変更された場合になることができる。ここで、所定の条件を満たすセルというのは、現在活性化状態のセルのうち可用伝送電力報告が必要なセル、例えば逆方向資源が設定されたセルを意味することができる。
【００５１】
次に、６１０段階で、ＰＨＲ生成条件が満たされれば、端末は、６１５段階に進行し、現在活性化されたセルのうち逆方向資源が設定されたセルに対して可用伝送電力を報告するための手続を開始する。そして、端末は、６２０段階に進行し、ＰＨＲがトリガーされた（あるいは可用伝送電力が報告される）セルのＰＵＳＣＨ伝送電力を下記数式４を利用して計算する。
【００５２】
［数式４］
ＰＵＳＣＨ  ｐｏｗｅｒ＝１０ｌｏｇ１０（ＭＰＵＳＣＨ（ｉ））＋ＰＯ＿ＰＵＳＣＨ（ｊ）＋α（ｊ）・ＰＬ＋ΔＴＦ（ｉ）＋ｆ（ｉ）
【００５３】
ここで、ＭＰＵＳＣＨ（ｉ）は、割り当てられた伝送資源の数によって決定される値（詳しい内容は、３６．２１３参照）を示し、ＰＯ＿ＰＵＳＣＨ（ｊ）は、セル別に定義されるオフセットと端末別に定義されるオフセットの和（詳しい内容は、３６．２１３参照）を示し、ＰＬは、経路損失を示し、α（ｊ）は、セル別に定義されることができ、経路損失に乗算される係数を示し、ΔＴＦ（ｉ）は、ＭＳＣレベルによって決定される値（詳しい内容は、３６．２１３参照）を示し、ｆ（ｉ）は、伝送電力調整（ＴＰＣ、Ｔｒａｎｓｍｉｓｓｉｏｎ  Ｐｏｗｅｒ  Ｃｏｎｔｒｏｌ）命令の累積値を示す。
【００５４】
すなわちＰＨＲが伝送されるサブフレームでＰＵＳＣＨが伝送されるセルのＰＨ計算時に、前記ＰＵＳＣＨ伝送パラメータ（スケジューリングされた伝送資源ブロックの数とＭＣＳレベルなど）として実際ＰＵＳＣＨ伝送に使用される値が使用される。数式４で、ＰＬは、ＰＨが計算されるセルの逆方向資源が経路損失側面で連関されたセルの順方向資源の経路損失である。ｆ（ｉ）は、ＰＨが計算されるセルのＰＵＳＣＨ伝送に対するＴＰＣ命令の累積値である。一方、ＰＨＲが伝送されるサブフレームにＰＵＳＣＨが伝送されないセルのＰＨ計算時に、前記ＰＵＳＣＨ伝送パラメータとしてあらかじめ定められた値が使用される。例えば、１０ｌｏｇ１０（ＭＰＵＳＣＨ（ｉ））とΔＴＦ（ｉ）としていずれも０を使用することができる。ＰＬとｆ（ｉ）は、ＰＨＲが伝送されるサブフレームにＰＵＳＣＨ伝送がある場合と同様である。以下、説明の便宜のためにＰＨＲが伝送されるサブフレームにＰＵＳＣＨ伝送があるセルのＰＨを計算する方式を‘ＰＨ計算方式１’と命名し、ＰＨＲが伝送されるサブフレームにＰＵＳＣＨ伝送がないセルのＰＨを計算する方式を‘ＰＨ計算方式２’と命名する。
【００５５】
次に、端末は、６２５段階で、ＰＨが報告されるセルのＰＣＭＡＸを決定する。前述したように、端末は、ＰＨＲが伝送されるサブフレームで実際の伝送がないセルに対するＰＣＭＡＸは、あらかじめ定められた値を使用する。そして、端末は、ＰＨＲ伝送があるサブフレームで実際の伝送が行われるセルに対しては、前記ＰＵＳＣＨ伝送電力がｓｐｕｒｉｏｕｓ  ｅｍｉｓｓｉｏｎ  ｒｅｑｕｉｒｅｍｅｎｔなどを満たすことができるように、ＰＣＭＡＸを決定する。
【００５６】
次いで、端末は、６３０段階に進行し、ＰＨＲがトリガーされたセルの（あるいは可用伝送電力が報告されるセルの）ＰＨを計算する。前記ＰＨは、６２５段階で決定したＰＣＭＡＸと６２０段階で計算したＰＵＳＣＨ伝送電力の差異値である。その後、端末は、６３５段階で、ＰＨＲ  ＭＡＣ  ＣＥのペイロードに前記計算したＰＨをどんな手順に収納するかを決定する。例えば、端末は、セルのセルインデックスのサイズが小さい手順にＰＨを収納することができる。そして、６４０段階で、端末は、ＰＨが報告されるＣｅｌｌのうちＰＣＭＡＸを報告するＣｅｌｌとＰＣＭＡＸを報告しないセルを決定する。この際、端末は、ＰＣｅｌｌのＰＣＭＡＸは、常に報告し、残りのＣｅｌｌは、下記の条件を満たさない場合には、報告し、満たした場合、報告を省略する。
【００５７】
第１のＰＣＭＡＸ報告省略条件は、任意のセルのＰＣＭＡＸがＰＨ報告手順上で前記セルに１つ先行するセルのＰＣＭＡＸと同一であれば、報告を省略し、同一でなければ、報告するためのものである。または、第１のＰＣＭＡＸ報告省略条件は、任意のセルのＰＣＭＡＸがＰＣＭＡＸが報告されるセルのうちＰＨ報告手順上で前記セルに先行しながら最も近いセルのＰＣＭＡＸと同一であれば、報告を省略し、同一でなければ、報告するためのものである。第２のＰＣＭＡＸ報告省略条件は、任意のセルのＰＨがＰＨ計算方式１によって計算されたら、ＰＣＭＡＸを報告し、ＰＨ計算方式２によって計算されたら、ＰＣＭＡＸ報告を省略するためのものである。第３のＰＣＭＡＸ報告省略条件３は、第１のＰＣＭＡＸ報告省略条件と第２ＰＣＭＡＸ報告省略条件のうちいずれか１つを満たす場合、ＰＣＭＡＸ報告を省略し、２つのうちいずれか１つも満足しなければ、ＰＣＭＡＸを報告するためのものである。第４のＰＣＭＡＸ報告省略条件は、任意のセルのＰＨがＰＨ計算方式２によって計算されたか、または当該セルのＰＣＭＡＸが最も最近報告された同一セルのＰＣＭＡＸと同一であれば、ＰＣＭＡＸ報告を省略し、ＰＨ計算方式１が使用され、ＰＣＭＡＸが最も最近報告された同一セルのＰＣＭＡＸと同一でなければ、ＰＣＭＡＸを報告するためのものである。前記条件によって、６４０段階で、ＰＣＭＡＸが報告されるセルであるかを決定される。
【００５８】
続いて、端末は、６４５段階で、セル別にＰビットを適切な値に設定する。つまり、当該セルに対するＰＣＭＡＸが報告されたら、端末は、Ｐビットを０に設定し、当該セルのＰＣＭＡＸが報告されなければ、端末は、Ｐビットを１に設定する。そして、端末は、セル別にＶビットを適切な値に設定する。つまり、当該セルに対するＰＨがＰＨ計算方式１によって計算されたら、端末は、Ｖビットを０に設定し、ＰＨ計算方式２によって計算されたら、端末は、Ｖビットを１に設定する。
【００５９】
最後に、端末は、６５０段階で、各セルのＰＨを６３５段階で決定した手順によってＰＨＲのペイロードに収納する。そして、端末は、６５５段階では、ＰＣＭＡＸ報告が決定されたセルのＰＣＭＡＸをＰＨが収納された手順によってＰＨＲのペイロードに収納する。また、端末は、６６０段階に進行し、ＰＨＲ  ＭＡＣ  ＣＥに対するＭＡＣサブヘッダーを生成し、前記ＭＡＣサブヘッダーとペイロードをＭＡＣ  ＰＤＵに収納した後、伝送する。
【００６０】
図７は、本発明の第１実施例による基地局動作を示す図である。
【００６１】
図７を参照すれば、７０５段階で、端末からＰＨＲ  ＭＡＣ  ＣＥを受信すれば、基地局は、７１０段階に進行し、前記ＰＨＲ  ＭＡＣ  ＣＥがＲＥＬ−８ＰＨＲ  ＭＡＣ  ＣＥであるか、ＲＥＬ−１０  ＰＨＲ  ＭＡＣ  ＣＥであるかを検査する。この際、ＲＥＬ−８ＰＨＲ  ＭＡＣ  ＣＥなら、基地局は、７１５段階に進行し、前記ＰＨＲ  ＭＡＣ  ＣＥで報告されたＰＨ情報を解釈し、前記ＰＨ情報を考慮して伝送電力不足問題が惹起されないように前記端末をスケジューリングする。一方、ＲＥＬ−１０  ＰＨＲ  ＭＡＣ  ＣＥが受信されたら、基地局は、７２０段階に進行し、ＰＣＭＡＸが明示的に報告されたセル、すなわちＰビットが０に設定されたセルのＰＣＭＡＸを記憶する。そして、基地局は、７２５段階に進行し、ＰＣＭＡＸが明示的に報告されないセル、すなわちＰビットが１に設定されたセルのＰＣＭＡＸを判断し、記憶する。
【００６２】
この際、基地局は、Ｖビットが０であるセルに対して、ＰＣＭＡＸが明示的に報告されたセルのうち、ＰＨ報告位置上で前記セルに先行しながら最も近い位置でＰＨが報告されたセルのＰＣＭＡＸを前記セルのＰＣＭＡＸとして判断する。また、基地局は、Ｖビットが１であるセルに対して、あらかじめ定められたＰＣＭＡＸ、例えばＰＣＭＡＸ＿Ｈを前記セルのＰＣＭＡＸとして判断する。その後、基地局は、７３０段階に進行し、ＰＨＲ  ＭＡＣ  ＣＥで報告されたＰＨ情報を解釈し、前記ＰＨ情報とＰＣＭＡＸ情報を考慮して伝送電力不足問題が惹起されないように前記端末をスケジューリングする。
【００６３】
一方、本発明は、Ｐビットを使用せず、ＰＨＲでＰＨが報告されるセルのうちＶビットが０であるセルのＰＣＭＡＸがすべて同一である場合には、ＰＣＭＡＸを１つだけ報告し、そうでなければ、Ｖビットが０であるセルのＰＣＭＡＸをすべて個別的に報告する方式で単純化されることもできる。
【００６４】
この際、前記単純化された端末の動作は、下記の事項を除外すれば、図６で示された動作と同一である。
【００６５】
すなわち端末は、６４０段階で、ＰＨが報告されるＣｅｌｌのうちＰＣＭＡＸを報告するＣｅｌｌとＰＣＭＡＸを報告しないセルを決定する。端末は、ＣｅｌｌのうちＰＨ計算方式２によってＰＨが計算されたＣｅｌｌ（すなわち実際逆方向伝送が起きないセル、あるいはＰＵＳＣＨ伝送電力計算のためにあらかじめ定められた伝送フォーマットを使用したセル）のＰＣＭＡＸは、報告しない。端末は、残りのＣｅｌｌ、すなわちＰＨ計算方式１によってＰＨが計算されたＣｅｌｌ（実際逆方向伝送が起きたセル、言い替えればＰＵＳＣＨ伝送電力計算のために実際使用された伝送フォーマットを使用したセル）のＰＣＭＡＸを検査し、すべてのセルのＰＣＭＡＸが同一であれば、ＰＣＭＡＸを１つだけ含ませることを決定する。したがって、ＰＣｅｌｌのＰＣＭＡＸだけを報告することに決定する。もし１つのセルでもＰＣＭＡＸが同一でなければ、ＰＨ計算方式１によってＰＨが計算されたすべてのセルのＰＣＭＡＸを報告することに決定する。
【００６６】
そして、図６を参照すれば、端末は、６４５段階で、Ｖビットを適切な値に設定する。つまり、当該セルに対するＰＨがＰＨ計算方式１によって求められた場合、Ｖビットを０に設定し、ＰＨ計算方式２によって求められた場合、Ｖビットを１に設定する。この際、単純化された端末動作を使用する場合、Ｐビットは不要である。これは、ＰＨＲのペイロードのサイズは、Ｌフィールドによって明示的に指示されるので、基地局がＬフィールドを参照してＰＨＲのペイロードにいくつかのセルに対するＰＣＭＡＸが報告されたかを判断することができるからである。もちろん基地局の複雑度を減らすためにＰビットを使用してＰＣＭＡＸ存在有無を別にシグナリングすることも可能であり、この場合、端末は、６４５段階で、ＰビットとＶビットを共に設定する。残りの段階は、すべて同一なので、説明を省略する。
【００６７】
さらに、単純化された基地局動作は、下記の事項を除外すれば、図７に示された動作と同一である。
【００６８】
すなわち基地局は、７２５段階で、ＰＣＭＡＸが明示的に報告されないセルのＰＣＭＡＸを判断し、記憶する。もしＰＣＭＡＸが１つだけ報告された場合、基地局は、Ｖビットが０であるすべてのセルのＰＣＭＡＸが前記報告されたＰＣＭＡＸであると判断する。もしＰＣＭＡＸが複数個報告された場合、基地局は、Ｖビットが０であるセルのＰＨ報告手順によって前記報告されたＰＣＭＡＸがどんなセルのＰＣＭＡＸであるかを判断し、記憶する。基地局は、Ｖビットが１であるセルのＰＣＭＡＸは、あらかじめ定められた値、例えばＰＣＭＡＸ＿Ｈとして判断し、記憶する。残りの段階は、すべて同一なので、説明を省略する。
【００６９】
図８は、本発明の第１実施例による端末の構成を示すブロック図である。
【００７０】
図８を参照すれば、本実施例の端末は、送受信機８０５、制御部８１０、多重化及び逆多重化装置８２０、制御メッセージ処理部８３５及び多数個の上位階層装置８２５、８３０を含む。
【００７１】
送受信機８０５は、順方向キャリアでデータ及び所定の制御信号を受信し、逆方向キャリアでデータ及び所定の制御信号を伝送する。多数個のキャリアが設定された場合、送受信機８０５は、前記多数個のキャリアでデータ送受信及び制御信号送受信を行う。
【００７２】
多重化及び逆多重化装置８２０は、上位階層装置８２５、８３０や制御メッセージ処理部８３５で発生したデータを多重化し、送受信機８０５に伝達する役目をする。そして、多重化及び逆多重化装置８２０は、送受信機８０５で受信されたデータを逆多重化し、適切な上位階層装置８２５、８３０や制御メッセージ処理部８３５、あるいは制御部８１０に伝達する役目をする。
【００７３】
制御メッセージ処理部８３５は、ネットワークが伝送した制御メッセージを処理し、必要な動作を取る。この際、制御メッセージ処理部８３５は、制御メッセージに収納されたパラメータのうちＰＣＭＡＸ決定と関連したパラメータ、例えばＰＥＭＡＸを制御部８１０に伝達する。また、制御メッセージ処理部８３５は、ＲＥＬ−１０  ＰＨＲ設定可否を制御部８１０に伝達する。
【００７４】
上位階層装置８２５、８３０は、サービス別に構成されることができ、ＦＴＰやＶｏＩＰなどのようなユーザサービスで発生するデータを処理し、多重化及び逆多重化装置８２０に伝達する。そして、上位階層装置８２５、８３０は、多重化及び逆多重化装置８２０から伝達されたデータを処理し、上位階層のサービスアプリケーションに伝達する。
【００７５】
制御部８１０は、送受信機８０５を介して受信されたスケジューリング命令、例えば、逆方向グラントなどを解釈し、適切な時点に適切な伝送資源で逆方向伝送が行われるように送受信機８０５と多重化及び逆多重化装置８２０を制御する。制御部８１０は、所定の条件が充足されれば、ＰＣＭＡＸを報告する手続を制御する。例えば、ＲＥＬ−１０  ＰＨＲ機能が設定され、ＰＨＲがトリガーされれば、制御部８１０は、ＰＣＭＡＸを報告する手続を開始する。この際、制御部８１０は、活性化状態のセルのＰＨを計算し、前記ＰＨをどんな手順でＰＨＲ  ＭＡＣ  ＣＥのペイロードに収納するかを決定する。そして、制御部８１０は、前記ＰＨが報告されるセルのうちどんなセルのＰＣＭＡＸを報告するかを決定し、前記ＰＣＭＡＸ存在有無によってＰビットを適切な値に設定する。また、制御部８１０は、生成されたＰＨＲ  ＭＡＣ  ＣＥのペイロードを多重化及び逆多重化装置８２０に伝達する。
【００７６】
この際、制御部８１０は、電力計算部と報告処理部を具備する。電力計算部は、セルそれぞれで要求するＰＵＳＣＨ伝送電力を計算し、端末でＰＵＳＣＨ伝送に適用するためのセル別にＰＣＭＡＸを決定し、ＰＵＳＣＨ伝送電力とＰＣＭＡＸの差異値によってセル別にＰＨを計算する。報告処理部は、ＰＣＭＡＸとＰＨを含むＰＨＲ  ＭＡＣ  ＣＥを生成する。
【００７７】
このために、報告処理部は、セルの手順によってＰＨＲ  ＭＡＣ  ＣＥでＰＨ別に収納位置を決定し、ＰＨＲ  ＭＡＣ  ＣＥでそれぞれの収納位置にＰＨを収納する。そして、報告処理部は、セルそれぞれに対応してＰＨＲ  ＭＡＣ  ＣＥでＰＣＭＡＸを収納するか否かを決定し、セルのうち少なくともいずれか１つに対応してＰＣＭＡＸの収納が決定されれば、ＰＨＲ  ＭＡＣ  ＣＥでＰＨの次の手順にＰＣＭＡＸを収納する。ここで、ＰＨＲ  ＭＡＣ  ＣＥは、セル別に構成され、ＰＨ、ＰＣＭＡＸの収納可否及びＰＵＳＣＨ伝送可否を収納するためのフィールドを含む。また、報告処理部は、セルそれぞれに対応してＰＵＳＣＨ伝送を行うか否かを決定し、セルのうち少なくともいずれか１つに対応してＰＵＳＣＨ伝送を行うものと決定すれば、当該セルで少なくともいずれか１つに対応してＰＣＭＡＸを収納し、セルのうち残りに対応してＰＣＭＡＸを収納しないように決定することができる。
【００７８】
図９は、本発明の第１実施例による基地局の構成を示すブロック図である。
【００７９】
図９を参照すれば、基地局は、送受信機９０５、制御部９１０、多重化及び逆多重化装置９２０、制御メッセージ処理部９３５、多数個の上位階層装置９２５、９３０及びスケジューラ９１５を含む。
【００８０】
送受信機９０５は、順方向キャリアでデータ及び所定の制御信号を伝送し、逆方向キャリアでデータ及び所定の制御信号を受信する。多数個のキャリアが設定された場合、送受信機９０５は、前記多数個のキャリアでデータ送受信及び制御信号送受信を行う。
【００８１】
多重化及び逆多重化装置９２０は、上位階層装置９２５、９３０や制御メッセージ処理部９３５で発生したデータを多重化し、送受信機９０５に伝達する役目をする。そして、多重化及び逆多重化装置９２０は、送受信機９０５で受信されたデータを逆多重化し、適切な上位階層装置９２５、９３０や制御メッセージ処理部９３５、あるいは制御部９１０に伝達する役目をする。
【００８２】
制御メッセージ処理部９３５は、端末が伝送した制御メッセージを処理し、必要な動作を取るか、端末に伝達する制御メッセージを生成し、下位階層に伝達する。例えば、制御メッセージ処理部９３５は、端末が伝達したＰＰｏｗｅｒＣｌａｓｓ情報を制御部９１０に伝達する。
【００８３】
上位階層装置９２５、９３０は、サービス別に構成されることができ、ＦＴＰやＶｏＩＰなどのようなユーザサービスで発生するデータを処理し、多重化及び逆多重化装置９２０に伝達する。そして、上位階層装置９２５、９３０は、多重化及び逆多重化装置９２０から伝達されたデータを処理し、上位階層のサービスアプリケーションに伝達する。
【００８４】
制御部９１０は、端末から伝達されたＰＨＲ  ＭＡＣ  ＣＥを処理し、スケジューラ９１５にスケジューリング関連情報を伝達する。例えば、制御部９１０は、端末から受信したＰＨＲを解釈し、スケジューラ９１５に端末の可用伝送電力を通知する。制御部９１０は、前記ＰＨＲで報告されたＰＨとＰＣＭＡＸを利用して端末に割り当てられることができる最大伝送資源の量とコーディングレートを判断し、この値をスケジューラ９１５に通知する。制御部１９０は、また、スケジューラ９１５で伝達されたスケジューリング情報によって多重化及び逆多重化装置９２０に順方向データを生成し、送受信機９０５に伝達することを命令する。
【００８５】
この際、端末でＰＨＲ  ＭＡＣ  ＣＥ受信時に、制御部９１０は、ＰＨＲ  ＭＡＣ  ＣＥを分析し、端末でＰＵＳＣＨ伝送に適用するための各セルのＰＣＭＡＸ及びセルそれぞれで要求するＰＵＳＣＨ伝送電力とＰＣＭＡＸの差異値により決定された各セルのＰＨを決定する。この際、制御部９１０は、セルの手順によってＰＨＲ  ＭＡＣ  ＣＥでＰＨの収納位置を決定し、それぞれの収納位置でＰＨを決定する。そして、制御部９１０は、セルそれぞれに対応してＰＨＲ  ＭＡＣ  ＣＥでＰＣＭＡＸが収納されたか否かを決定し、セルのうち少なくともいずれか１つに対応してＰＣＭＡＸが収納されたら、収納されたＰＣＭＡＸを決定し、セルのうち残りに対応してＰＣＭＡＸが収納されなければ、収納されたＰＣＭＡＸによってセルのうち残りのＰＣＭＡＸを決定する。ここで、ＰＨＲ  ＭＡＣ  ＣＥは、セル別に構成され、ＰＨ、ＰＣＭＡＸの収納可否及びＰＵＳＣＨ伝送可否を収納するためのフィールドを含む。また、制御部９１０は、セルのうち少なくともいずれか１つに対応してＰＵＳＣＨ伝送が行われなければ、ＰＵＳＣＨ伝送が行われないセルに対応してあらかじめ設定された値としてＰＣＭＡＸを決定することができる。
【００８６】
スケジューラ９１５は、端末のバッファ状態、チャネル状態、パワーヘッドルーム状態などを考慮して端末に伝送資源を割り当てる。そして、スケジューラ９１５は、送受信機９０５に端末が伝送した信号を処理するか、または端末に信号を伝送するように処理する。この際、スケジューラ９１５は、ＰＨによってＰＵＳＣＨがＰＣＭＡＸを超過しないように端末のＰＵＳＣＨ伝送をスケジューリングする。
【００８７】
図１０は、本発明の第２実施例によるＰＨＲ  ＭＡＣ  ＣＥの構造を示す図である。
【００８８】
図１０に示されたように、本発明の一実施例において端末が状況によって適切なＰＨＲフォーマットを選択する方法及び装置を提示する。
【００８９】
図１０を参照すれば、Ｒｅｌ−１０  ＰＨＲが設定されれば、端末は、ＰＨＲ  ＭＡＣ  ＣＥ  １０２０に下記のような情報を含ませる。言い換えれば、ＰＨＲ  ＭＡＣ  ＣＥ  １０２０は、ビットマップ１０２５、Ｔｙｐｅ  ２  ＰＨ  ｏｆ  ＰＣｅｌｌ  １０３０、Ｔｙｐｅ  １  ＰＨ  ｏｆ  ＰＣｅｌｌ  １０４０、Ｔｙｐｅ  １  ＰＨ  ｏｆ  ＳＣｅｌｌ  １０５０、１０６０、ＰＣＭＡＸ  １０３５、１０４５、１０５５、１０６５を収納する。
【００９０】
ビットマップ１０２５は、ＳＣｅｌｌのＰＨ情報収納可否を指示する情報を示す。Ｔｙｐｅ  ２  ＰＨ  ｏｆ  ＰＣｅｌｌ  １０３０は、ＰＣｅｌｌのＴｙｐｅ  ２  ＰＨを示す。この際、Ｔｙｐｅ  ２  ＰＨは、最大伝送出力からＰＵＳＣＨ伝送電力とＰＵＣＣＨ伝送電力を減算した値であって、基地局が端末にＰＵＳＣＨとＰＵＣＣＨを同時にスケジューリングするときに必要な情報である。Ｔｙｐｅ  １  ＰＨ  ｏｆ  ＰＣｅｌｌ  １０４０は、ＰＣｅｌｌのＴｙｐｅ  １  ＰＨを示す。この際、Ｔｙｐｅ  １  ＰＨは、最大伝送出力からＰＵＳＣＨ伝送電力を減算した値を示す。Ｔｙｐｅ  １  ＰＨ  ｏｆ  ＳＣｅｌｌ  １０５０、１０６０は、ＰＨＲが生成される時点に活性化状態であるＳＣｅｌｌのＴｙｐｅ  １  ＰＨを示す。ＰＣＭＡＸ  １０３５、１０４５、１０５５、１０６５は、ＰＨ算出に使用された最大伝送出力を示す。ここで、ＰＣＭＡＸ  １０３５、１０４５、１０５５、１０６５は、本発明の１実施例のように、ＰＨ計算方式２によってＰＨが計算された場合には、省略されることもできる。
【００９１】
そして、図１０に示されたように、ＰＨＲ  ＭＡＣ  ＣＥ  １０２０のＭＡＣサブヘッダー１００５は、ＬＣＩＤフィールド１０１０とＬフィールド１０１５を含み、前記Ｌフィールドは、ＰＨＲ  ＭＡＣ  ＣＥ  １０２０のサイズを指示する。
【００９２】
図１０を参考すれば、本発明は、これに制限されず、前記情報のうち一部は、場合によって不要なこともある。例えば、端末にＲＥＬ−１０  ＰＨＲが設定されているが、端末にＳＣｅｌｌが設定されていないか、ＳＣｅｌｌが設定されても、逆方向がないＳＣｅｌｌだけが設定されたら、端末の逆方向伝送は、ＰＣｅｌｌだけを通じて行われるので、端末がＳＣｅｌｌのＴｙｐｅ  １  ＰＨ  １０５０、１０６０を報告する必要がない。また、ＳＣｅｌｌのＴｙｐｅ  １  ＰＨ  １０５０、１０６０を報告する必要がないので、ビットマップ１０２５も不要である。ＰＨＲ  ＭＡＣ  ＣＥの長さは、報告されるＳＣｅｌｌのＴｙｐｅ  １  ＰＨ  １０５０、１０６０の個数によって可変的である。もしＳＣｅｌｌのＴｙｐｅ  １  ＰＨ  １０５０、１０６０が報告されなければ、ＰＨＲ  ＭＡＣ  ＣＥの長さは、一定なので、ＭＡＣサブヘッダー１００５のＬフィールド１０１５が不要である。また、ＰＣｅｌｌのＴｙｐｅ  ２  ＰＨ  １０３０は、端末がＰＵＳＣＨ伝送とＰＵＣＣＨ伝送を同時に行うことができる場合にのみ有意な情報なので、ＰＵＳＣＨ／ＰＵＣＣＨ同時伝送設定可否によって必要性が決定される。
【００９３】
本発明の第２実施例では、Ｌフィールド、ビットマップ、ＰＣｅｌｌのＴｙｐｅ  ２  ＰＨフィールドの存在有無を選択的に設定する方法に関する。すなわち図１０に示されたフィールドのうち一部のフィールド（Ｌフィールド、ビットマップフィールド、Ｔｙｐｅ  ２  ＰＨフィールド）の存在有無を状況によって決定する。図１１に本発明の第２実施例による端末と基地局の全体動作を図示する。
【００９４】
図１１を参照すれば、端末１１０５は、１１１５段階で、基地局１１１０に所定のＲＲＣメッセージを利用して自分の性能情報を報告する。前記ＲＲＣメッセージには、例えば端末のＰＵＳＣＨ／ＰＵＣＣＨ同時伝送支援可否とどんな周波数帯域で何個のＳＣｅｌｌを集積することができるかに関する情報などが含まれる。
【００９５】
次に、基地局１１１０は、前記端末１１０５の性能情報、端末１１０５のトラフィック状況、セルのロード状況などを考慮して端末１１０５にＲＥＬ−１０と関連した機能を設定する。基地局１１１０は、１１２０段階で、端末１１０５にＲＲＣ連結再設定メッセージを伝送し、前記ＲＲＣ連結再設定メッセージを通じて端末１１０５にＳＣｅｌｌを設定することができる。任意のＳＣｅｌｌには、順方向だけが設定されることもでき（順方向だけが設定されたＳＣｅｌｌを以下では順方向ＳＣｅｌｌと命名する）、順方向と逆方向がすべて設定されることもできる（順方向と逆方向が共に設定されたＳＣｅｌｌを以下では順方向／逆方向ＳＣｅｌｌと命名する）。もし端末１１０５に主に順方向トラフィックが発生すれば、基地局１１１０は、前記端末１１０５に順方向ＳＣｅｌｌを追加する。もし順方向トラフィックと逆方向トラフィックが共に多く発生すれば、基地局１１１０は、端末１１０５に順方向／逆方向ＳＣｅｌｌを追加する。前記ＲＲＣ連結再設定メッセージを通じて端末１１０５がＰＵＣＣＨ／ＰＵＳＣＨ同時伝送をしなければならないか否か及びＲＥＬ−１０  ＰＨＲ設定可否をも指示される。ＰＵＣＣＨ／ＰＵＳＣＨ同時伝送は、ＰＵＣＣＨ／ＰＵＳＣＨ同時伝送が可能なものと報告した端末１１０５のうち現在チャネル状況が良好な端末１１０５に対して設定される。
【００９６】
端末は、ＲＲＣ連結再設定メッセージでの指示によって、再設定を行う。その後、１１２５段階で、任意の時点にＰＨＲがトリガーされれば、端末１１０５は、１１３０段階で、ＰＨＲを生成し、１１３５段階で、基地局１１１０に伝送する。この際、ＰＨＲのフォーマット（あるいはＰＨＲに含まれるフィールド）は、端末１１０５にＲＥＬ−１０  ＰＨＲが設定されたか否か、逆方向が設定されたＳＣｅｌｌが存在するか否か及びＰＵＳＣＨ／ＰＵＣＣＨ同時伝送設定可否によって決定される。端末１１０５にＲＥＬ−１０  ＰＨＲが設定されていなければ、端末１１０５は、ＰＨＲ  ＭＡＣ  ＣＥにＰＣｅｌｌのＴｙｐｅ  １  ＰＨだけを含むように決定する。端末１１０５にＲＥＬ−１０  ＰＨＲが設定されたら、端末１１０５は、状況によってＰＨＲにＰＣｅｌｌのＴｙｐｅ  １  ＰＨとＰＣＭＡＸ以外にも下記の情報を追加に収納することを決定する。
【００９７】
すなわち順方向／逆方向ＳＣｅｌｌが設定されており、ＰＵＳＣＨ／ＰＵＣＣＨ同時伝送が設定されていれば、端末１１０５は、ＰＨＲ  ＭＡＣ  ＣＥのサブヘッダーにＬフィールドを収納し、ＰＨＲ  ＭＡＣ  ＣＥにビットマップ、ＰＣｅｌｌのＴｙｐｅ  ２  ＰＨ及びＳＣｅｌｌのＴｙｐｅ  １  ＰＨを収納する。一方、順方向／逆方向ＳＣｅｌｌが設定されており、ＰＵＳＣＨ／ＰＵＣＣＨ同時伝送が設定されていなければ、端末１１０５は、ＰＨＲ  ＭＡＣ  ＣＥサブヘッダーにＬフィールドを収納し、ＰＨＲ  ＭＡＣ  ＣＥにビットマップとＳＣｅｌｌのＴｙｐｅ  １  ＰＨを収納する。一方、順方向／逆方向ＳＣｅｌｌが設定されていないし、ＰＵＳＣＨ／ＰＵＣＣＨ同時伝送が設定されていれば、端末１１０５は、ＰＨＲ  ＭＡＣ  ＣＥサブヘッダーにＬフィールドを収納せず、ＰＨＲ  ＭＡＣ  ＣＥにＰＣｅｌｌのＴｙｐｅ  ２  ＰＨを収納する。一方、順方向／逆方向ＳＣｅｌｌが設定されていないし、ＰＵＳＣＨ／ＰＵＣＣＨ同時伝送が設定されていなければ、端末１１０５は、ＰＨＲ  ＭＡＣ  ＣＥのサブヘッダーとＰＨＲ  ＭＡＣ  ＣＥに基本的な情報だけを収納する。
【００９８】
言い替えれば、端末１１０５は、順方向／逆方向ＳＣｅｌｌの設定可否によってＬフィールドとビットマップの収納可否を決定する。そして、端末１１０５は、ＰＵＳＣＨ／ＰＵＣＣＨ同時伝送設定可否によってＰＣｅｌｌのＴｙｐｅ  ２  ＰＨ収納可否を決定する。
【００９９】
図１２は、本発明の第２実施例による端末動作を示す図である。
【０１００】
図１２を参照すれば、端末は、１２０５段階で、ＲＥＬ−１０  ＰＨＲ機能を設定する。ＲＥＬ−１０  ＰＨＲ機能は、拡張されたＰＨＲ機能（ｅｘｔｅｎｄｅｄ  ＰＨＲ）とも言い、ＰＨＲのフォーマットや報告される情報の種類などでＲＥＬ−８  ＰＨＲ機能と異なり、キャリア集積のようなＲＥＬ−１０技術を活性化するＲＲＣ制御メッセージを通じて設定されることができる。その後、端末は、所定の動作を行いながらＰＨＲ生成条件が満たされるまで待機する。この際、ＰＨＲ生成条件は、例えば、新しい伝送のための逆方向伝送資源が可用であり、ＰＨＲ伝送を禁止する所定のタイマーが既に満了し（あるいは現在駆動中ではなく）、所定の条件を満たすセルのうち最小限１セルの経路損失が所定の基準値以上に変更された場合になることができる。ここで、所定の条件を満たすセルというのは、現在活性化状態のセルのうち可用伝送電力報告が必要なセル、すなわちＰＣｅｌｌと経路損失参照セルに設定されたＳＣｅｌｌを意味する。そして、経路損失参照セル（ｐａｔｈ  ｌｏｓｓ  ｒｅｆｅｒｅｎｃｅ）というのは、逆方向伝送出力算出時に使用される経路損失を提供するセルであり、３６．３３１と３６．２１３にさらに詳しく説明されている。
【０１０１】
次に、１２１０段階で、任意の時点にＰＨＲがトリガーされれば、端末は、前記トリガーされたＰＨＲにどんな情報を含ませるかを判断するために、１２１５段階に進行する。端末は、１２１５段階で、順方向／逆方向ＳＣｅｌｌが設定されている状態であるかを検査する。もし端末にＳＣｅｌｌが設定されていないか、ＳＣｅｌｌが設定されていても、順方向だけが存在するＳＣｅｌｌが設定されていたら、端末は、ＰＨＲ  ＭＡＣ  ＣＥのＭＡＣサブヘッダーにＬフィールドが使用されず、ＰＨＲ  ＭＡＣ  ＣＥにビットマップが使用されないようにＰＨＲ  ＭＡＣ  ＣＥを生成することを決定し、１２３０段階に進行する。一方、順方向／逆方向ＳＣｅｌｌが設定されていたら、端末は、１２２０段階に進行する。
【０１０２】
この際、端末は、１２２０段階で、ＭＡＣサブヘッダーにＬフィールドを含ませ、前記ＬフィールドにＰＨＲ  ＭＡＣ  ＣＥのサイズを指示する情報を収納する。ＰＨＲ  ＭＡＣ  ＣＥのサイズは、ＰＨＲが生成される時点に活性化状態であるＳＣｅｌｌのうち逆方向が存在するＳＣｅｌｌの個数とＰＨＲで報告されるＰＣＭＡＸの個数とＴｙｐｅ  ２  ＰＨの存在有無によって決定される。その後、端末は、１２２５段階で、ＰＨＲでＰＨが報告されるＳＣｅｌｌを判断し、前記ＳＣｅｌｌのセル識別子に対応するビットが１に設定されたビットマップを生成し、ＰＨＲ  ＭＡＣ  ＣＥの一番目のバイトに追加する。ここで、前記ビットマップは、８ビットで構成され、最も右側のビットがセル識別子７に、その次のビットがセル識別子６に、最も左側のビットがセル識別子１に対応する。言い替えれば、ビットマップのビットポジションとセル識別子は、一対一で対応する。
【０１０３】
次に、１２３０段階で、端末は、ＰＵＣＣＨ／ＰＵＳＣＨの同時伝送が設定されているかを検査する。もしＰＵＣＣＨ／ＰＵＳＣＨの同時伝送が設定されていたら、端末は、１２３５段階に進行し、ＰＨＲ  ＭＡＣ  ＣＥの一番目のバイト（ビットマップが存在しない場合）あるいは二番目のバイト（ビットマップが存在する場合）にＰＣｅｌｌのＴｙｐｅ  ２  ＰＨを挿入し、１２４０段階に進行する。一方、ＰＵＣＣＨ／ＰＵＳＣＨの同時伝送が設定されていなければ、端末は、１２４０段階に進行する。その後、端末は、１２４０段階で、ＰＨＲ  ＭＡＣ  ＣＥにＰＣｅｌｌのＴｙｐｅ  １  ＰＨを挿入し、残りの必要な情報、例えばＰＣＭＡＸと（逆方向が存在する現在活性化状態であるＳＣｅｌｌが存在すれば）ＳＣｅｌｌのＴｙｐｅ  １  ＰＨを挿入し、ＰＨＲ  ＭＡＣ  ＣＥを生成する。そして、端末は、１２４５段階で、前記ＰＨＲ  ＭＡＣ  ＣＥを伝送する。
【０１０４】
一方、本発明の第２実施例による端末の構成は、図８で制御部８１０を除いた構成と類似している。但し、本発明の第２実施例による端末の制御部８１０は、送受信機８０５を通じて受信されたスケジューリング命令、例えば逆方向グラントなどを解釈し、適切な時点に適切な伝送資源で逆方向伝送が行われるように送受信機８０５と多重化及び逆多重化装置８２０を制御する。制御部８１０は、所定の条件が充足されれば、ＰＨＲを報告する手続を制御する。制御部８１０は、ＰＨＲトリガー条件が生成されれば、順方向／逆方向セルの設定可否とＰＵＣＣＨ／ＰＵＳＣＨ同時伝送設定可否を参照してＰＨＲにＬフィールド、ビットマップ、ＰＣｅｌｌのＴｙｐｅ  ２  ＰＨを含ませるか否かを判断し、それに合わせてＰＨＲ  ＭＡＣ  ＣＥのペイロードを生成し、多重化及び逆多重化装置８２０に伝達する。
【０１０５】
本発明によれば、移動通信システムで端末が可用伝送電力をさらに少ない伝送オーバーヘッドで基地局に報告することができ、基地局がスケジューリングを効率的に行うことができると共に、他の伝送への干渉をも抑制することができる。
【０１０６】
一方、本明細書と図面を通じて本発明の好ましい実施例について説明し、たとえ特定用語が使用されたが、これは、ただ本発明の技術内容を容易に説明し、発明の理解を助けるための一般的な意味として使用されたものに過ぎず、本発明の範囲を限定しようとするものではない。ここに開示された実施例以外にも本発明の技術的思想に基づく他の変形例が実施可能であるということは、本発明の属する技術分野における通常の知識を有する者に自明である。
【符号の説明】
【０１０７】
１０５、１１０、１１５、１２０  ＥＮＢ
１２５  ＭＭＥ
１３０  Ｓ−ＧＷ
１３５  ＵＥ
１９０  制御部
２０５、２４０  ＰＤＣＰ階層
２１０、２３５  ＲＬＣ階層
２１５、２３０  ＭＡＣ階層
２２０、２２５  物理階層
３０５  基地局
３１０、３１５  キャリア
３３０  端末
８０５  送受信機
８１０  制御部
８２０  多重化及び逆多重化装置
８２５、８３０  上位階層装置
８３５  制御メッセージ処理部
９０５  送受信機
９１０  制御部
９１５  スケジューラ
９２０  多重化及び逆多重化装置
９２５、９３０  上位階層装置
９３５  制御メッセージ処理部
【図１】
0005844379.tif 000002
【図２】
0005844379.tif 000003
【図３】
0005844379.tif 000004
【図４】
0005844379.tif 000005
【図５】
0005844379.tif 000006
【図６】
0005844379.tif 000007
【図７】
0005844379.tif 000008
【図８】
0005844379.tif 000009
【図９】
0005844379.tif 000010
【図１０】
0005844379.tif 000011
【図１１】
0005844379.tif 000012
【図１２】
0005844379.tif 000013